(57)【要約】放送録画再生システム（１）は、放送番組を受信するために、複数の放送チャンネルのうち少なくとも一つに同調する同調手段（５等）と、同調された一の放送チャンネルを介して、放送番組を記録又は再生する記録再生装置（２０等）と、同調された他の放送チャンネルを介して、放送番組を、ユーザに表示可能な表示装置（１０）と、他の放送チャンネルの代わりに、一の放送チャンネルを介して放送番組を表示するように、表示装置を制御する制御手段（制御情報：５０）と、を備える。
2008072349.tif 000002
【特許請求の範囲】
【請求項１】
放送番組を受信するために、複数の放送チャンネルのうち少なくとも一つに同調する同調手段と、
同調された一の放送チャンネルを介して、放送番組を記録又は再生する記録再生装置と、
同調された他の放送チャンネルを介して、放送番組を、ユーザに表示可能な表示装置と、
（i）前記他の放送チャンネルの代わりに、前記一の放送チャンネルを介して放送番組を表示するように、前記表示装置を制御する、又は、（ii）前記表示装置を経由して、前記一の放送チャンネルの代わりに、前記他の放送チャンネルを介して放送番組を表示するように、前記記録再生装置を制御する制御手段と、
を備えることを特徴とする放送記録再生システム。
【請求項２】
前記制御手段は、前記表示装置が、前記一の放送チャンネルを介して放送番組を表示した後、前記記録再生装置の電源を切るように、前記記録再生装置を制御することを特徴とする請求の範囲第１項に記載の放送記録再生システム。
【請求項３】
前記制御手段は、（i）前記表示装置が、前記記録再生装置を経由して、前記一の放送チャンネルを介して放送番組を表示している第１状態から、（ii）前記表示装置が、前記記録再生装置を経由することなく、前記一の放送チャンネルを介して放送番組を表示している第２状態へ切り替えるように、前記表示装置を制御することを特徴とする請求の範囲第１項に記載の放送記録再生システム。
【請求項４】
前記制御手段は、前記第１状態である時間が、所定時間より大きい場合、前記第１状態から、前記第２状態に切り替えるように、前記表示装置を制御することを特徴とする請求の範囲第３項に記載の放送記録再生システム。
【請求項５】
前記制御手段は、（i）前記表示装置が、前記記録再生装置を経由することなく、前記他の放送チャンネルを介して放送番組を表示している第３状態から、（ii）前記表示装置が、前記記録再生装置を経由して、前記他の放送チャンネルを介して放送番組を表示している第４状態へ切り替えるように、前記表示装置を制御することを特徴とする請求の範囲第１項に記載の放送記録再生システム。
【請求項６】
前記制御手段は、（i）前記表示装置が、前記記録再生装置で設定される前記一の放送チャンネルに関するチャンネル情報を取得し、（ii）前記表示装置が、当該表示装置で予め設定された、前記他の放送チャンネルを、前記一の放送チャンネルに再設定するように、前記表示装置及び前記記録再生装置を制御することを特徴とする請求の範囲第１項に記載の放送記録再生システム。
【請求項７】
（i）前記表示装置が、前記一の放送チャンネルを介して放送番組を表示しないように、又は、（ii）前記記録再生装置が、前記表示装置を経由して、前記他の放送チャンネルを介して放送番組を表示しないようにするために、ユーザによって操作可能な操作手段を更に備えることを特徴とする請求の範囲第１項に記載の放送記録再生システム。
【請求項８】
前記表示装置と、前記記録再生装置との間の交信させる通信手段を更に備え、
前記制御手段は、前記表示装置、又は前記記録再生装置を制御するための制御情報を、前記通信手段によって交信させることを特徴とする請求の範囲第１項に記載の放送記録再生システム。
【請求項９】
前記制御手段は、（i）前記表示装置が、前記記録再生装置で設定される一の放送チャンネルに関するチャンネル情報を取得できるか否か、又は、（ii）前記表示装置が、前記記録再生装置を経由することなく、前記一の放送チャンネルを介して放送番組を表示している第２状態へ切り替えることができるか否かを判別するための判別情報を、前記通信手段によって交信させることを特徴とする請求の範囲第８項に記載の放送記録再生システム。
【請求項１０】
前記通信手段は、HDMI（High-Definition Multimedia Interface）規格に準拠することを特徴とする請求の範囲第１項に記載の放送記録再生システム。
【請求項１１】
放送番組を受信するために、複数の放送チャンネルのうち少なくとも一つに同調する同調手段を備えた放送記録再生装置であって、
同調された一の放送チャンネルを介して、前記放送番組を記録又は再生する記録再生手段と、
同調された前記一の放送チャンネルに関するチャンネル情報を出力する出力手段と、
前記チャンネル情報が出力された後、前記放送記録再生装置の電源を切るように、当該放送記録再生装置を制御する制御手段と、
を備えることを特徴とする放送記録再生装置。
【請求項１２】
放送番組を受信するために、複数の放送チャンネルのうち少なくとも一つに同調する同調手段と、
同調された一の放送チャンネルを介して、放送番組を記録又は再生する記録再生装置と、
同調された他の放送チャンネルを介して、放送番組を、ユーザに表示可能な表示装置と、
を備える放送記録再生システムの制御方法であって、
（i）前記他の放送チャンネルの代わりに、前記一の放送チャンネルを介して放送番組を表示するように、前記表示装置を制御する、又は、（ii）前記表示装置を経由して、前記一の放送チャンネルの代わりに、前記他の放送チャンネルを介して放送番組を表示するように、前記記録再生装置を制御する制御工程と、
を備えることを特徴とする放送記録再生システムの制御方法。
【請求項１３】
放送番組を受信するために、複数の放送チャンネルのうち少なくとも一つに同調する同調手段を備えた記録再生装置における放送記録再生方法であって、
同調された一の放送チャンネルを介して、前記放送番組を記録又は再生する記録再生工程と、
同調された前記一の放送チャンネルに関するチャンネル情報を出力する出力工程と、
前記チャンネル情報が出力された後、前記記録再生装置の電源を切るように、当該記録再生装置を制御する制御工程と、
を備えることを特徴とする放送記録再生方法。
【請求項１４】
請求の範囲第１項に記載の放送記録再生システムに備えられたコンピュータを制御する制御用のコンピュータプログラムであって、該コンピュータを、前記同調手段、前記記録再生装置、前記表示装置、及び前記制御手段のうち少なくとも一部として機能させることを特徴とするコンピュータプログラム。
【請求項１５】
請求の範囲第１１項に記載の放送記録再生装置に備えられたコンピュータを制御する制御用のコンピュータプログラムであって、該コンピュータを、前記同調手段、前記記録再生手段、前記出力手段、及び前記制御手段のうち少なくとも一部として機能させることを特徴とするコンピュータプログラム。
【発明の詳細な説明】
【技術分野】
【０００１】
本発明は、例えば、アナログやデジタル放送において、放送番組等の放送番組を受信すると共に、例えばハードディスク、ＤＶＤ、Blu-rayディスク等の情報記録媒体に放送番組等を記録（録画）又は再生することが可能な放送記録再生装置を含む、放送記録再生システム、放送記録再生システムの制御方法、及びコンピュータプログラムの技術分野に関する。
【背景技術】
【０００２】
特許文献１では、複数のソースコンポーネント（例えば記録再生装置）と、一のシンクコンポーネント（例えばチューナー）と、が夫々接続されている放送記録再生システムの環境において、複数の接続関係を把握し、現在、利用されている一のソースコンポーネントの制御を、一のシンクコンポーネントから行う技術的な手法について開示されている。【０００３】
【特許文献１】特願２００４−５０４５２０号公報
【発明の開示】
【発明が解決しようとする課題】
【０００４】
しかしながら、上述した特許文献１等によれば、ソースコンポーネントによるライブ放送視聴からシンクコンポーネントによるライブ放送視聴に切り替える場合、次のような技術的な問題点が生じてしまう。即ち、ユーザが、手動で、シンクコンポーネントのチャンネルを、リアルタイムで放送される放送番組（所謂、ライブ放送又はライブ放送番組）に切り替えた後でない限り、冗長的に機能するソースコンポーネントの動作を停止させ、省電力を図ることが困難であるという技術的な問題点が生じてしまう。【０００５】
本発明は、上述した問題点に鑑みなされたものであり、複数の情報機器を有する放送記録再生システムにおいて、省電力、及び省エネルギーを、より適切に実現させることが可能な放送記録再生システム、放送記録再生システムの制御方法、並びに、コンピュータをこのような装置として機能させるコンピュータプログラムを提供することを課題とする。
【課題を解決するための手段】
【０００６】
上記課題を解決するために、請求項１に記載の放送記録再生システムは、放送番組を受信するために、複数の放送チャンネルのうち（ユーザが所望する）少なくとも一つに同調する同調手段（アンテナ及びチューナ）と、同調された一の放送チャンネルを介して、放送番組を記録又は再生する記録再生装置（ドライブ）と、同調された他の放送チャンネルを介して、放送番組を、ユーザに表示可能な表示装置（ＴＶ：Television）と、（i）前記他の放送チャンネルの代わりに、前記一の放送チャンネルを介して放送番組を表示するように、前記表示装置を制御する、又は、（ii）前記表示装置を経由して、前記一の放送チャンネルの代わりに、前記他の放送チャンネルを介して放送番組を表示するように、前記記録再生装置を制御する制御手段（HDMI中の制御コマンド）と、を備える。【０００７】
上記課題を解決するために、請求項１１に記載の放送記録再生装置は、放送番組を受信するために、複数の放送チャンネルのうち少なくとも一つに同調する同調手段を備えた放送記録再生装置であって、同調された一の放送チャンネルを介して、前記放送番組を記録又は再生する記録再生手段と、同調された前記一の放送チャンネルに関するチャンネル情報を出力する出力手段と、前記チャンネル情報が出力された後、前記放送記録再生装置の電源を切るように、当該放送記録再生装置を制御する制御手段と、を備える。【０００８】
上記課題を解決するために、請求項１２に記載の放送記録再生システムの制御方法は、放送番組を受信するために、複数の放送チャンネルのうち少なくとも一つに同調する同調手段と、同調された一の放送チャンネルを介して、一の放送番組を記録又は再生する記録再生装置と、同調された他の放送チャンネルを介して、他の放送番組を、ユーザに表示可能な表示装置と、を備える放送記録再生システムの制御方法であって、（i）前記他の放送チャンネルの代わりに、前記一の放送チャンネルを介して放送番組を表示するように、前記表示装置を制御する、又は、（ii）前記表示装置を経由して、前記一の放送チャンネルの代わりに、前記他の放送チャンネルを介して放送番組を表示するように、前記記録再生装置を制御する制御工程と、を備える。【０００９】
上記課題を解決するために、請求項１３に記載の放送記録再生方法は、放送番組を受信するために、複数の放送チャンネルのうち少なくとも一つに同調する同調手段を備えた記録再生装置における放送記録再生方法であって、同調された一の放送チャンネルを介して、前記放送番組を記録又は再生する記録再生工程と、同調された前記一の放送チャンネルに関するチャンネル情報を出力する出力工程と、前記チャンネル情報が出力された後、前記記録再生装置の電源を切るように、当該記録再生装置を制御する制御工程と、を備える。【００１０】
上記課題を解決するために、請求項１４に記載のコンピュータプログラムは、請求項１に記載の放送記録再生システムに備えられたコンピュータを制御する制御用のコンピュータプログラムであって、該コンピュータを、前記同調手段、前記記録再生装置、前記表示装置、及び前記制御手段のうち少なくとも一部として機能させる。【００１１】
上記課題を解決するために、請求項１５に記載のコンピュータプログラムは、請求項１１に記載の放送記録再生装置に備えられたコンピュータを制御する制御用のコンピュータプログラムであって、該コンピュータを、前記同調手段、前記記録再生手段、前記出力手段、及び前記制御手段のうち少なくとも一部として機能させる。【００１２】
本発明の作用及び他の利得は次に説明する実施の形態から明らかにされよう。
【発明を実施するための最良の形態】
【００１３】
以下、発明を実施するための最良の形態としての本発明の実施形態に係る、放送記録再生システム、放送記録再生システムの制御方法、及びコンピュータプログラムについて順に説明する。【００１４】
（放送記録再生システムの実施形態）
本発明の放送記録再生システムに係る実施形態は、放送番組を受信するために、複数の放送チャンネルのうち（ユーザが所望する）少なくとも一つに同調する同調手段（アンテナ及びチューナ）と、同調された一の放送チャンネルを介して、一の放送番組を記録又は再生する記録再生装置（ドライブ）と、同調された他の放送チャンネルを介して、他の放送番組を、ユーザに表示可能な表示装置（ＴＶ：Television）と、（i）前記他の放送チャンネルの代わりに、前記一の放送チャンネルを介して放送番組を表示するように、前記表示装置を制御する、又は、（ii）前記表示装置を経由して、前記一の放送チャンネルの代わりに、前記他の放送チャンネルを介して放送番組を表示するように、前記記録再生装置を制御する制御手段（HDMI中の制御コマンド）と、を備える。【００１５】
本発明の放送記録再生システムに係る実施形態によれば、例えばアンテナ等の同調手段は、放送番組を受信するために、複数の放送チャンネルのうち（ユーザが所望する）少なくとも一つに同調する。例えばＤＶＤレコーダや、Blu-rayレコーダ等の記録再生装置は、同調された、一の放送チャンネル介して、ユーザが所望する一の放送番組を記録又は再生する。【００１６】
例えばＴＶ（Television）等の表示装置は、同調された、他の放送チャンネルを介して、他の放送番組を、ユーザに表示することが可能である。【００１７】
例えばＨＤＭＩ（High-Definition Multimedia Interface）における各種の制御コマンド等の制御手段の制御下で、表示装置は、他の放送チャンネルの代わりに、一の放送チャンネルを介して、一の放送番組を表示する。或いは、制御手段の制御下で、記録再生装置が、表示装置を経由して、一の放送チャンネルの代わりに、他の放送チャンネルを介して、他の放送番組を表示する。【００１８】
即ち、例えばＴＶ等の表示装置において、当該表示装置で予め設定された他のチャンネルを、例えばBlu-rayレコーダ等の記録再生装置で設定された一の放送チャンネルに自動的に切り替えることが可能である。或いは、概ね同様にして、例えばBlu-rayレコーダ等の記録再生装置において、当該記録再生装置で設定された一のチャンネルを、例えばＴＶ等の表示装置で設定された他の放送チャンネルに自動的に切り替えることが可能である。言い換えると、表示装置と、記録再生装置とにおいて、放送チャンネルを、ユーザの所望に基づいて又は基づかないで、同一にすることが可能である。【００１９】
従って、制御手段の制御下で、（i）表示装置が、記録再生装置を経由して、一の放送チャンネルを介して、一の放送番組を表示している第１状態から、（ii）表示装置が、記録再生装置を経由することなく、一の放送チャンネルを介して放送番組を表示している第２状態へ（自動的に）切り替えることができる。【００２０】
この結果、ユーザが所望する一の放送チャンネルを視聴している際に、冗長的に機能している、記録再生装置の電源を自動的に切ることが可能であり、放送記録再生システムにおける、省電力、及び省エネルギーの効果を顕著に向上させることが可能である。加えて、ユーザは、放送記録再生システムにおける、省電力、及び省エネルギーの効果を顕著に向上させるための操作を殆ど又は完全に行う必要は無いので、ユーザの操作における利便性を向上させることが可能である。【００２１】
或いは、従って、制御手段の制御下で、（i）表示装置が、記録再生装置を経由することなく、他の放送チャンネルを介して他の放送番組を表示している第３状態から、（ii）表示装置が、記録再生装置を経由して、他の放送チャンネルを介して、他の放送番組を表示している第４状態へ（自動的に）切り替えることができる。【００２２】
この結果、ユーザが所望する他の放送チャンネルを視聴している際に、記録再生装置を自動的に起動させ、他の放送チャンネルを介して、他の放送番組を、自動的に録画させることが可能であり、ユーザが、所望の放送番組を録画する際の利便性を向上させることが可能である。【００２３】
仮に、ユーザの操作によって、放送記録再生システムにおける、省電力、及び省エネルギーを実現するためには、次のような煩雑な操作が必要になるため、ユーザの利便性を低下させてしまう。即ち、第１ステップとして、ユーザは、記録再生装置の電源を切る操作が必要である。第２ステップとして、ユーザは、（i）表示装置に接続された、例えばアンテナ及びチューナー等の同調手段において設定されている、他の放送チャンネルを、（ii）記録再生装置に接続された、例えばアンテナ及びチューナー等の同調手段において設定されている、一の放送チャンネルに切り替える操作が必要である。【００２４】
或いは、上述したユーザの操作が行われない場合、ユーザは、そのまま、記録再生装置に接続された、例えばアンテナ及びチューナー等の同調手段を介して、ライブ放送を視聴し続けるので、放送記録再生システムにおける、省電力、及び省エネルギーを実現することが技術的に困難となってしまう。【００２５】
これに対して、本実施形態によれば、上述したように、表示装置と、記録再生装置とにおいて、放送チャンネルを、ユーザの所望に基づいて又は基づかないで、同一にすることが可能である。【００２６】
この結果、ユーザが所望する一の放送チャンネルを視聴している際に、冗長的に機能している、記録再生装置の電源を自動的に切ることが可能であり、放送記録再生システムにおける、省電力、及び省エネルギーの効果を顕著に向上させることが可能である。加えて、ユーザは、放送記録再生システムにおける、省電力、及び省エネルギーの効果を顕著に向上させるための操作を殆ど又は完全に行う必要は無いので、ユーザの操作における利便性を向上させることが可能である。【００２７】
或いは、この結果、ユーザが所望する他の放送チャンネルを視聴している際に、記録再生装置を自動的に起動させ、他の放送チャンネルを介して他の放送番組を、自動的に録画させることが可能であり、ユーザが、所望の放送番組を録画する際の利便性を向上させることが可能である。【００２８】
本発明の録画再生システムに係る実施形態の一の態様では、前記制御手段は、前記表示装置が、前記一の放送チャンネルを介して放送番組を表示した後、前記記録再生装置の電源を切るように、前記記録再生装置を制御する。【００２９】
この態様によれば、制御手段の制御下で、記録再生装置は、表示装置が、一の放送チャンネルを介して一の放送番組を表示した後、当該記録再生装置の電源を自動的に切ることができる。【００３０】
この結果、ユーザが所望する一の放送チャンネルを視聴している際に、冗長的に機能している、記録再生装置の電源を自動的に切ることが可能であり、放送記録再生システムにおける、省電力、及び省エネルギーの効果を顕著に向上させることが可能である。加えて、ユーザは、放送記録再生システムにおける、省電力、及び省エネルギーの効果を顕著に向上させるための操作を殆ど又は完全に行う必要は無いので、ユーザの操作における利便性を向上させることが可能である。【００３１】
本発明の録画再生システムに係る実施形態の他の態様では、前記制御手段は、（i）前記表示装置が、前記記録再生装置を経由して、前記一の放送チャンネルを介して放送番組を表示している第１状態から、（ii）前記表示装置が、前記記録再生装置を経由することなく、前記一の放送チャンネルを介して放送番組を表示している第２状態へ切り替えるように、前記表示装置を制御する。【００３２】
この態様によれば、制御手段の制御下で、（i）表示装置が、記録再生装置を経由して、一の放送チャンネルを介して一の放送番組を表示している第１状態から、（ii）表示装置が、記録再生装置を経由することなく、一の放送チャンネルを介して放送番組を表示している第２状態へ自動的に切り替えることができる。【００３３】
この結果、ユーザが所望する一の放送チャンネルを視聴している際に、冗長的に機能している、記録再生装置の電源を自動的に切ることが可能であり、放送記録再生システムにおける、省電力、及び省エネルギーの効果を顕著に向上させることが可能である。加えて、ユーザは、放送記録再生システムにおける、省電力、及び省エネルギーの効果を顕著に向上させるための操作を殆ど又は完全に行う必要は無いので、ユーザの操作における利便性を向上させることが可能である。【００３４】
この制御手段に係る態様では、前記制御手段は、前記第１状態である時間が、所定時間より大きい場合、前記第１状態から、前記第２状態に切り替えるように、前記表示装置を制御するように構成してもよい。【００３５】
このように構成すれば、制御手段の制御下で、記録再生装置において、表示装置が、記録再生装置を経由して、一の放送チャンネルを介して一の放送番組を表示している第１状態であり続ける時間が、所定時間より大きい場合、記録再生装置で設定され、ユーザに視聴されている一の放送番組に関するチャンネル情報を、表示装置に自動的に取得させることが可能である。【００３６】
従って、制御手段の制御下で、表示装置が、記録再生装置を経由することなく、一の放送チャンネルを介して一の放送番組を表示している第２状態へ、所定時間に基づいて、より迅速且つ適切に切り替えることができる。【００３７】
この結果、ユーザが所望する一の放送チャンネルを視聴している際に、冗長的に機能している、記録再生装置の電源を、所定時間に基づいて、自動的に切ることが可能であり、放送記録再生システムにおける、省電力、及び省エネルギーの効果をより顕著に向上させることが可能である。【００３８】
本発明の録画再生システムに係る実施形態の他の態様では、前記制御手段は、（i）前記表示装置が、前記記録再生装置を経由することなく、前記他の放送チャンネルを介して放送番組を表示している第３状態から、（ii）前記表示装置が、前記記録再生装置を経由して、前記他の放送チャンネルを介して放送番組を表示している第４状態へ切り替えるように、前記表示装置を制御する。【００３９】
この態様によれば、制御手段の制御下で、（i）表示装置が、記録再生装置を経由することなく、他の放送チャンネルを介して他の放送番組を表示している第３状態から、（ii）表示装置が、記録再生装置を経由して、他の放送チャンネルを介して他の放送番組を表示している第４状態へ切り替えることができる。【００４０】
この結果、ユーザが所望する他の放送チャンネルを視聴している際に、記録再生装置を自動的に起動させ、他の放送チャンネルを介して他の放送番組を、自動的に録画させることが可能であり、ユーザが、所望の放送番組を録画する際の利便性を向上させることが可能である。【００４１】
本発明の録画再生システムに係る実施形態の他の態様では、前記制御手段は、（i）前記表示装置が、前記記録再生装置で設定される前記一の放送チャンネルに関するチャンネル情報を取得し、（ii）前記表示装置が、当該表示装置で予め設定された、前記他の放送チャンネルを、前記一の放送チャンネルに再設定するように、前記表示装置及び前記記録再生装置を制御する。【００４２】
この態様によれば、制御手段の制御下で、表示装置は、記録再生装置で設定される一の放送チャンネルに関するチャンネル情報を取得する。加えて、制御手段の制御下で、表示装置は、当該表示装置で予め設定された、前記他の放送チャンネルを、前記一の放送チャンネルに再設定する。【００４３】
この結果、チャンネル情報に基づいて、表示装置と、記録再生装置とにおいて、放送チャンネルを、より迅速且つ適切に、同一にすることが可能である。【００４４】
本発明の録画再生システムに係る実施形態の他の態様では、（i）前記表示装置が、前記一の放送チャンネルを介して放送番組を表示しないように、又は、（ii）前記記録再生装置が、前記表示装置を経由して、前記他の放送チャンネルを介して放送番組を表示しないようにするために、ユーザによって操作可能な操作手段を更に備える。【００４５】
この態様によれば、例えば操作ボタン等の、ユーザによって操作可能な操作手段におけるオン又はオフに基づいて、（i）表示装置が、一の放送チャンネルを介して一の放送番組を表示したり又は表示しなかったりするように切り替えることができる。或いは、操作手段におけるオン又はオフに基づいて、（ii）記録再生装置が、表示装置を経由して、他の放送チャンネルを介して他の放送番組を表示したり又は表示しなかったりするように切り替えることができる。【００４６】
この結果、記録再生装置において、例えばアンテナ及びチューナ等の同調手段に接続されたチューナーが存在し、表示装置において、アンテナに接続されたチューナー等の同調手段が存在しなく、単独では、放送番組を表示することができない場合、操作手段に基づいて、例えば記録再生装置の電源が切られることを未然に防止することが可能である。言い換えると、ユーザが所望する一の放送チャンネルを視聴している際に、唯一、チューナーとして機能している、記録再生装置の電源が切られることを未然に防止することが可能であり、放送記録再生システムにおける、信頼性を顕著に向上させることが可能である。【００４７】
本発明の録画再生システムに係る実施形態の他の態様では、前記表示装置と、前記記録再生装置との間の交信させる通信手段を更に備え、前記制御手段は、前記表示装置、又は前記記録再生装置を制御するための制御情報を、前記通信手段によって交信させる。【００４８】
この態様によれば、例えばHDMI等の規格に準拠した通信手段によって交信される制御情報に基づいて、表示装置と、記録再生装置とにおいて、放送チャンネルを同一にすることが可能である。【００４９】
この結果、ユーザが所望する一の放送チャンネルを視聴している際に、冗長的に機能している、記録再生装置の電源を自動的に切ることが可能であり、放送記録再生システムにおける、省電力、及び省エネルギーの効果を顕著に向上させることが可能である。加えて、ユーザは、放送記録再生システムにおける、省電力、及び省エネルギーの効果を顕著に向上させるための操作を殆ど又は完全に行う必要は無いので、ユーザの操作における利便性を向上させることが可能である。【００５０】
或いは、この結果、ユーザが所望する他の放送チャンネルを視聴している際に、記録再生装置を自動的に起動させ、他の放送チャンネルを介して他の放送番組を、自動的に録画させることが可能であり、ユーザが、所望の放送番組を録画する際の利便性を向上させることが可能である。【００５１】
この制御手段に係る態様では、前記制御手段は、（i）前記表示装置が、前記記録再生装置で設定される一の放送チャンネルに関するチャンネル情報を取得できるか否か、又は、（ii）前記表示装置が、前記記録再生装置を経由することなく、前記一の放送チャンネルを介して放送番組を表示している第２状態へ切り替えることができるか否かを判別するための判別情報を、前記通信手段によって交信させるように構成してもよい。【００５２】
このように構成すれば、制御手段の制御下で、交信される判別情報（所謂、機器情報）に基づいて、表示装置が、記録再生装置で設定される一の放送チャンネルに関するチャンネル情報を取得できるか否かが判別される。言い換えると、表示装置と、記録再生装置とにおいて、放送チャンネルを同一にすることが可能であるか否かが判別される。【００５３】
或いは、判別情報に基づいて、表示装置が、記録再生装置を経由することなく、一の放送チャンネルを介して放送番組を表示している第２状態へ切り替えることができるか否かが判別される。言い換えると、第２状態へ切り替えた後、記録再生装置の電源を切ることができるか否かが判別される。【００５４】
この結果、判別情報に基づいて、ユーザが所望する一の放送チャンネルを視聴している際に、唯一、チューナーとして機能している、記録再生装置の電源が切られることを未然に且つ自動的に防止することが可能であり、放送記録再生システムにおける、信頼性を顕著に向上させることが可能である。加えて、判別情報が自動的に交信されるので、ユーザは、放送記録再生システムにおける、信頼性を顕著に向上させるための操作を殆ど又は完全に行う必要は無いので、ユーザの操作における利便性を向上させることが可能である。【００５５】
この通信手段に係る態様では、前記通信手段は、HDMI（High-Definition Multimedia Interface）規格に準拠するように構成してもよい。【００５６】
このように構成すれば、制御手段の制御下で、通信手段は、HDMI（High-Definition Multimedia Interface）規格に基づいて、高精度且つ適切に、制御情報を通信可能である。【００５７】
（放送記録再生装置の実施形態）
本発明の放送記録再生装置に係る実施形態は、放送番組を受信するために、複数の放送チャンネルのうち少なくとも一つに同調する同調手段を備えた放送記録再生装置であって、同調された一の放送チャンネルを介して、前記放送番組を記録又は再生する記録再生手段と、同調された前記一の放送チャンネルに関するチャンネル情報を出力する出力手段と、前記チャンネル情報が出力された後、前記放送記録再生装置の電源を切るように、当該放送記録再生装置を制御する制御手段と、を備える。【００５８】
本発明の放送記録再生装置に係る実施形態によれば、例えばアンテナ等の同調手段は、放送番組を受信するために、複数の放送チャンネルのうち（ユーザが所望する）少なくとも一つに同調する。例えばＤＶＤレコーダや、Blu-rayレコーダ等の記録再生手段は、同調された、一の放送チャンネル介して、ユーザが所望する一の放送番組を記録又は再生する。出力手段によって、同調された一の放送チャンネルに関するチャンネル情報が、例えばチューナーを有するＴＶ（Television）等の表示装置に対して、出力される。【００５９】
従って、制御手段の制御下で、（i）表示装置が、記録再生装置を経由して、一の放送チャンネルを介して、一の放送番組を表示している第１状態から、（ii）表示装置が、記録再生装置を経由することなく、一の放送チャンネルを介して放送番組を表示している第２状態へ（自動的に）切り替えることができる。【００６０】
この結果、ユーザが所望する一の放送チャンネルを視聴している際に、冗長的に機能している、記録再生装置の電源を自動的に切ることが可能であり、放送記録再生システムにおける、省電力、及び省エネルギーの効果を顕著に向上させることが可能である。加えて、ユーザは、放送記録再生システムにおける、省電力、及び省エネルギーの効果を顕著に向上させるための操作を殆ど又は完全に行う必要は無いので、ユーザの操作における利便性を向上させることが可能である。【００６１】
尚、上述した本発明の放送記録再生システムに係る実施形態が有する各種態様に対応して、本発明の放送記録再生装置に係る実施形態も各種態様を採ることが可能である。【００６２】
（放送記録再生システムの制御方法の実施形態）
本発明の放送記録再生システムの制御方法に係る実施形態によれば、放送番組を受信するために、複数の放送チャンネルのうち少なくとも一つに同調する同調手段と、同調された一の放送チャンネルを介して、一の放送番組を記録又は再生する記録再生装置と、同調された他の放送チャンネルを介して、他の放送番組を、ユーザに表示可能な表示装置と、を備える放送記録再生システムの制御方法であって、（i）前記他の放送チャンネルの代わりに、前記一の放送チャンネルを介して放送番組を表示するように、前記表示装置を制御する、又は、（ii）前記表示装置を経由して、前記一の放送チャンネルの代わりに、前記他の放送チャンネルを介して放送番組を表示するように、前記記録再生装置を制御する制御工程と、を備える。【００６３】
本発明の放送記録再生システムの制御方法に係る実施形態によれば、上述した本発明の放送記録再生システムに係る実施形態が有する各種利益を享受することが可能となる。【００６４】
尚、上述した本発明の放送記録再生システムに係る実施形態が有する各種態様に対応して、本発明の放送記録再生システムの制御方法に係る実施形態も各種態様を採ることが可能である。【００６５】
（放送記録再生方法の実施形態）
本発明の放送記録再生方法に係る実施形態によれば、放送番組を受信するために、複数の放送チャンネルのうち少なくとも一つに同調する同調手段を備えた記録再生装置における放送記録再生方法であって、同調された一の放送チャンネルを介して、前記放送番組を記録又は再生する記録再生工程と、同調された前記一の放送チャンネルに関するチャンネル情報を出力する出力工程と、前記チャンネル情報が出力された後、前記記録再生装置の電源を切るように、当該記録再生装置を制御する制御工程と、を備える。【００６６】
本発明の放送記録再生方法に係る実施形態によれば、上述した本発明の放送記録再生装置に係る実施形態が有する各種利益を享受することが可能となる。【００６７】
尚、上述した本発明の放送記録再生装置に係る実施形態が有する各種態様に対応して、本発明の放送記録再生方法に係る実施形態も各種態様を採ることが可能である。【００６８】
（コンピュータプログラムの実施形態）
本発明のコンピュータプログラムに係る実施形態は、上述した本発明の放送記録再生システムに係る実施形態（但し、その各種態様を含む）に備えられたコンピュータを制御する制御用のコンピュータプログラムであって、該コンピュータを、前記同調手段、前記記録再生装置、前記表示装置、及び前記制御手段のうち少なくとも一部として機能させる。【００６９】
本発明のコンピュータプログラムに係る実施形態は、上述した本発明の放送記録再生装置に係る実施形態（但し、その各種態様を含む）に備えられたコンピュータを制御する制御用のコンピュータプログラムであって、該コンピュータを、前記同調手段、前記記録再生手段、前記出力手段、及び前記制御手段のうち少なくとも一部として機能させる。【００７０】
本発明に係るコンピュータプログラムの実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の放送記録再生システムに係る実施形態を比較的簡単に実現できる。【００７１】
尚、上述した本発明の放送記録再生システムに係る実施形態における各種態様に対応して、本発明のコンピュータプログラムに係る各実施形態も各種態様を採ることが可能である。【００７２】
上記課題を解決するために、コンピュータ読取可能な媒体内の第１コンピュータプログラム製品は、上述した本発明の情報記録装置（但し、その各種態様を含む）に備えられたコンピュータにより実行可能なプログラム命令を明白に具現化し、該コンピュータを、前記同調手段、前記記録再生装置、前記表示装置、及び前記制御手段のうち少なくとも一部として機能させる。【００７３】
上記課題を解決するために、コンピュータ読取可能な媒体内の第２コンピュータプログラム製品は、上述した本発明の情報再生装置（但し、その各種態様を含む）に備えられたコンピュータにより実行可能なプログラム命令を明白に具現化し、該コンピュータを、前記同調手段、前記記録再生手段、前記出力手段、及び前記制御手段のうち少なくとも一部として機能させる。【００７４】
本発明の第１又は第２コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置又は情報再生装置を比較的容易に実施可能となる。更に具体的には、当該コンピュータプログラム製品は、上述した本発明の情報記録装置又は情報再生装置として機能させるコンピュータ読取可能なコード（或いはコンピュータ読取可能な命令）から構成されてよい。【００７５】
本発明のこのような作用及び他の利得は次に説明する実施例から更に明らかにされる。【００７６】
以上説明したように、本発明の放送記録再生システム、又は放送記録再生システムの制御方法に係る実施形態は、同調手段、記録再生装置、表示装置、及び制御手段を備える。【００７７】
或いは、本発明の放送記録再生装置、又は放送記録再生方法に係る実施形態は、同調手段、記録再生手段、出力手段、並びに、制御手段及び工程を備える。【００７８】
この結果、ユーザが所望する一の放送チャンネルを視聴している際に、冗長的に機能している、記録再生装置（或いは放送記録再生装置）の電源を自動的に切ることが可能であり、放送記録再生システム（或いは放送記録再生装置）における、省電力、及び省エネルギーの効果を顕著に向上させることが可能である。加えて、ユーザは、放送記録再生システムにおける、省電力、及び省エネルギーの効果を顕著に向上させるための操作を殆ど又は完全に行う必要は無いので、ユーザの操作における利便性を向上させることが可能である。
【図面の簡単な説明】
【００７９】
【図１】本発明の放送録画再生システムに係る実施例の基本構成を概念的に示す論理ブロック図である。
【図２】本発明の放送録画再生システムに係る実施例において、交信される各種の情報を概念的に示す表（テーブル）である。
【図３】本発明の放送録画再生システムに係る実施例の動作原理を示すフローチャートである。
【図４】本発明の放送録画再生システムに係る実施例の動作原理に対応した各種の状態を示す表（図４（ａ）から図４（ｃ））である。
【図５】本発明の放送録画再生システムに係る他の実施例において、交信される各種の情報を概念的に示す表（テーブル）（図５（ａ）及び図５（ｂ））である。
【符号の説明】
【００８０】
１            放送録画再生システム
５            アンテナ
１０          表示装置（ＴＶ：Television）
２０（３０）  記録再生装置（録画機）
【実施例】
【００８１】
以下、図面を参照しながら、本発明の実施例に係る放送録画再生システム（即ち、本発明に係る放送記録再生システムの一例）について説明を進める。【００８２】
（１）放送録画再生システムの実施例  
先ず、図１から図３を参照して、本発明の放送録画再生システムに係る実施例について説明する。尚、本実施例においては、例えば、地上波アナログ放送、又は、地上波デジタル放送を受信する受信機を備えると共に、例えば、ハードディスクドライブ（Hard Disc Drive：以下、適宜「ＨＤＤ」と称す）等の情報記録媒体に録画する、例えば、ＨＤＤ付きＤＶＤレコーダーや、ＨＤＤ付きBlu-rayレコーダー等の記録再生装置を有する放送録画再生システムについて説明する。【００８３】
（１−１）基本構成  
先ず、図１を参照して、本発明の放送録画再生システムに係る実施例の基本構成について説明を進める。ここに、図１は、本発明の放送録画再生システムに係る実施例の基本構成を概念的に示す論理ブロック図である。図２は、本発明の放送録画再生システムに係る実施例において、交信される各種の情報を概念的に示す表（テーブル）である。【００８４】
図１に示されるように、本実施例に係る放送録画再生システム１は、（i）放送チャンネルを受信するアンテナ５と、（ii）アンテナ５に接続された、ＴＶモニタ等の表示装置（ＴＶ：Television）１０と、（iii）アンテナ５に接続された、２個の記録再生装置（録画機）２０及び３０と、（iv）通信手段４０と、を備えて構成されている。２個の記録再生装置２０及び３０と、表示装置１０とは、例えばＩＥＥＥ１３９４（Institute of Electrical and Electronic Engineers 1394）の規格に準拠した通信手段を介して、例えば放送コンテンツ（Content）、又は、チャンネル情報（Ｃｈ情報）等の相互に各種の情報を交信（交換）することが可能である。通信手段の一具体例としては、HDMI（High-Definition Multimedia Interface）で規格化されているCEC（Consumer Electronics Control）や、上述のIEEE1394や、各種の無線規格に準拠した操作手段（リモコン）等を挙げることが可能である。【００８５】
特に、通信手段によって交信されるチャンネル情報（Ｃｈ情報）に基づいて、表示装置１０と、記録再生装置２０又は３０とにおいて、放送チャンネルを同一にすることが可能である。より具体的には、図２（ａ）に示されるように、このチャンネル情報は、記録再生装置２０又は３０に設定されている放送チャンネルに関する情報と、表示装置１０に設定されている放送チャンネルに関する情報とを含むようにしてよい。【００８６】
或いは、通信手段によって交信される制御情報５０に基づいて、表示装置１０と、記録再生装置２０又は３０とにおいて、放送チャンネルを同一にすることが可能である。より具体的には、図２（ｂ）に示されるように、この制御情報５０は、表示装置１０に対して、記録再生装置２０又は３０と同一な放送チャンネルに切り替えるための指示コマンド等を含むようにしてよい。【００８７】
或いは、通信手段によって交信される判別情報（所謂、機器情報）に基づいて、表示装置１０と、記録再生装置２０又は３０とにおいて、放送チャンネルを同一にすることが可能であるか否かを判別してよい。より具体的には、図２（ｃ）に示されるように、判別情報は、（i）表示装置１０が、記録再生装置２０又は３０で設定される一の放送チャンネルに関するチャンネル情報を共有（取得）できるか否かを示すフラグ（フラグ情報）を含むようにしてもよい。或いは、判別情報は、（ii）表示装置１０が、記録再生装置２０又は３０を介することなく、一の放送チャンネルを介して一の放送コンテンツを表示している、後述される第２状態へ切り替えることができるか否かを示すフラグを含むようにしてよい。詳細には、この判別情報に基づく代わりに、ユーザ自らのボタン操作やリモコン操作等によって、表示装置１０が、記録再生装置２０又は３０で設定される一の放送チャンネルに関するチャンネル情報を共有（取得）しないように予め設定可能であるようにしてよい。或いは、ユーザ自らのボタン操作やリモコン操作等によって、表示装置１０が、記録再生装置２０又は３０を介することなく、一の放送チャンネルを介して一の放送コンテンツを表示している、後述される第２状態へ切り替えないようにしてもよい。【００８８】
特に、本実施例に係る放送録画再生システム１の全体を統括制御する制御手段は、上述した、表示装置１０と、記録再生装置２０又は３０との間を入出力される制御情報であってよい。或いは、表示装置１０の内部に備えられたＣＰＵ（Central Processing Unit）等の制御部であってよい。或いは、記録再生装置２０又は３０の内部に備えられたＣＰＵ等の制御部であってよい。また、制御手段が、複数ある場合、表示装置１０の内部に備えられたＣＰＵ等の一の制御部が、記録再生装置２０又は３０の内部に備えられたＣＰＵ等の他の制御部に対して、電源を切るための、例えばスタンバイコマンドを、出力するなどして、複数の制御手段の協調制御に基づいて、本実施例に係る放送録画再生システムを制御するようにしてよい。【００８９】
尚、複数個の記録再生装置と、表示装置とは、相互に各種の情報を交信（交換）が可能であるという条件を満たせば良いので、他の種類の通信手段でもよい。また、複数個の記録再生装置と、表示装置とは、テレビチューナーが、夫々内蔵されており、例えばアンテナ等の受信手段と接続されている。従って、受信手段から出力される放送コンテンツが、複数個の記録再生装置と、表示装置とに入力され、複数個の記録再生装置と、表示装置とは、夫々チューニング（Tuning）することができる。尚、上述のアンテナ等の受信手段、及びテレビチューナーによって、本発明に係る同調手段の一例が構成されている。【００９０】
（１−２）動作原理
次に、図３及び図４を参照して、本発明の放送録画再生システムに係る実施例の動作原理について説明を進める。ここに、図３は、本発明の放送録画再生システムに係る実施例の動作原理を示すフローチャートである。図４は、本発明の放送録画再生システムに係る実施例の動作原理に対応した各種の状態を示す表（図４（ａ）から図４（ｃ））である。【００９１】
図３に示されるように、例えばBlu-rayレコーダ等の記録再生装置（録画機）２０において、ユーザが以前に録画していた録画コンテンツの再生する再生状態を終了しているか否かが判定される（ステップＳ１１０）。具体的には、図４（ａ）に示されるように、この再生状態は、記録再生装置２０が、録画コンテンツを再生し、ユーザが視聴している状態を意味する。より具体的には、表示装置（ＴＶ）１０が、図１中の端子Ｓ１を選択していると共に、記録再生装置（録画機）が、録画コンテンツを再生している。【００９２】
このステップＳ１１０の判定の結果、記録再生装置２０において、録画コンテンツの再生する再生状態を終了していると判定される場合（ステップＳ１１０：Ｙｅｓ）、更に、記録再生装置２０において、第１状態の時間の長さが、所定時間より大きいか否かが判定される（ステップＳ１２０）。ここに、本実施例に係る第１状態とは、表示装置１０が、記録再生装置２０を介して、当該記録再生装置２０に設定されている一の放送チャンネルを介して一の放送コンテンツを表示している状態を意味する。具体的には、図４（ｂ）に示されるように、この第１状態は、ユーザが、記録再生装置２０を介して、リアルタイムで放送される放送コンテンツ（所謂、ライブ放送又はライブ放送番組）を視聴している状態を意味する。より具体的には、表示装置（ＴＶ）１０が、図１中の端子Ｓ１を選択していると共に、記録再生装置（録画機）が、例えば「ｎチャンネル」等の放送チャンネルを受信している。他方、ステップＳ１１０の判定の結果、記録再生装置２０において、録画コンテンツの再生する再生状態を終了していると判定されない場合（ステップＳ１１０：Ｎｏ）、引き続きステップＳ１１０に戻る。【００９３】
このステップＳ１２０の判定の結果、第１状態の時間の長さが、所定時間より大きいと判定される場合（ステップＳ１２０：Ｙｅｓ）、例えばＩＥＥＥ１３９４の規格に準拠した通信手段を介して、記録再生装置（録画機）２０が受信している放送チャンネルに関するチャンネル情報が、記録再生装置（録画機）から、表示装置（ＴＶ）１０へと、出力される（ステップＳ１３０）。他方、ステップＳ１２０の判定の結果、第１状態の時間の長さが、所定時間より大きいと判定されない場合（ステップＳ１２０：Ｎｏ）、引き続きステップＳ１２０に戻る。【００９４】
次に、表示装置（ＴＶ）１０は、入力されたチャンネル情報に基づいて、記録再生装置（録画機）２０が受信している放送チャンネルと、同一の放送チャンネル「ｎチャンネル」を受信するように、チューニングを行う（ステップＳ１４０）。【００９５】
次に、記録再生装置（録画機）２０は、当該記録再生装置（録画機）２０の電源を切る（ステップＳ１５０）。従って、放送録画再生システムにおいて、ユーザが、表示装置（ＴＶ）１０を介したライブ放送の視聴を行っている、第２状態を実現することができる。具体的には、第２状態は、図４（ｃ）に示されるように、表示装置（ＴＶ）１０が、記録再生装置（録画機）２０と同一の放送チャンネル「ｎチャンネル」を受信するように、チューニングを行った後に、記録再生装置（録画機）２０が、当該記録再生装置（録画機）２０の電源を切っている状態である。【００９６】
（２）本実施例に係る作用と効果との検討  
次に、前述した図４を適宜参照して、本発明の放送録画再生システムに係る実施例の作用と効果とについて検討する。【００９７】
一般的に、前述の図４（ａ）の表の再生状態に示されるように、例えばＤＶＤレコーダや、Blu-rayレコーダ等の記録再生装置において録画され、当該記録再生装置から出力された映像コンテンツを、例えばＴＶ等の表示装置を経由して、ユーザが視聴する際、映像コンテンツが再生される。【００９８】
次に、前述の図４（ｂ）の表の第１状態に示されるように、一般的な記録再生装置は、映像コンテンツの再生が終了すると、自動的に記録再生装置に接続された、例えばアンテナ及びチューナー等の同調手段を介した、放送コンテンツの受信状態へと切り替わる。【００９９】
この場合、ユーザは、記録再生装置に接続された、例えばチューナー等の同調手段を介して、リアルタイムで放送される放送コンテンツ（所謂、ライブ放送又はライブ放送番組）を視聴し続けることが多い。ここで、ユーザが、ライブ放送の視聴を行う場合、前述の図４（ｃ）の表の第２状態に示されるように、放送録画再生システムにおける、省電力、及び省エネルギーを実現するためには、記録再生装置の電源を切り、表示装置に接続された、例えばチューナー等の同調手段を介して、ライブ放送を視聴することが好ましい。【０１００】
仮に、ユーザの操作によって、放送録画再生システムにおける、省電力、及び省エネルギーを実現するためには、次のような煩雑な操作が必要になるため、ユーザの利便性を低下させてしまう。即ち、第１ステップとして、ユーザは、記録再生装置の電源を切る操作が必要である。第２ステップとして、ユーザは、（i）表示装置に接続された、例えばチューナー等の同調手段において設定されている、他の放送チャンネルを、（ii）記録再生装置に接続された、例えばチューナー等の同調手段において設定されている、一の放送チャンネルに切り替える操作が必要である。或いは、上述したユーザの操作が行われない場合、ユーザは、そのまま、記録再生装置に接続された、例えばチューナー等の同調手段を介して、ライブ放送を視聴し続けるので、放送録画再生システムにおける、省電力、及び省エネルギーを実現することが技術的に困難となってしまう。【０１０１】
より詳細には、一般的な記録再生装置では、録画動作又は再生動作がなく、放送チャンネルの受信状態が続いても、ユーザが放送チャンネルを視聴中の可能性があるので、自動的に電源が切られることにより、ユーザの視聴が中断されることを避けるため、自動的に電源が切るための閾値となる時間が長く設定されている。そのため、ユーザが電源を消し忘れてもずっと電源がオンの状態のままになっていることが多い。省電力、及び省エネルギーのために、自動的に電源を切るための閾値となる時間を短く設定したいが、ユーザの視聴が中断されないように工夫する必要がある。また、一般的な記録再生装置では、当該記録再生装置のチューナーによるライブ放送の視聴と、ＴＶ等の表示装置のチューナーによるライブ放送の視聴では見た目では変わらないため、その違いに、ユーザが気づくことが困難である。そのため、省エネルギーを心がけているユーザでも気づくことが困難である場合、ＴＶ等の表示装置によるライブ放送の視聴に切り替える操作を行うことができないという技術的な問題点が生じる。【０１０２】
これに対して、本実施例においては、例えばＴＶ等の表示装置において、当該表示装置で予め設定された他のチャンネルを、例えばBlu-rayレコーダ等の記録再生装置で設定された一の放送チャンネルに自動的に切り替えることが可能である。或いは、概ね同様にして、例えばBlu-rayレコーダ等の記録再生装置において、当該記録再生装置で設定された一のチャンネルを、例えばＴＶ等の表示装置で設定された他の放送チャンネルに自動的に切り替えることが可能である。言い換えると、表示装置と、記録再生装置とにおいて、放送チャンネルを、ユーザの所望に基づいて又は基づかないで、同一にすることが可能である。【０１０３】
従って、制御手段の制御下で、（i）表示装置が、記録再生装置を経由して、一の放送チャンネルを介して一の放送コンテンツを表示している第１状態から、（ii）表示装置が、記録再生装置を経由することなく、一の放送チャンネルを介して前記一の放送コンテンツを表示している第２状態へ切り替えることができる。【０１０４】
この結果、ユーザが所望する一の放送チャンネルを視聴している際に、冗長的に機能している、記録再生装置の電源を自動的に切ることが可能であり、放送録画再生システムにおける、省電力、及び省エネルギーの効果を顕著に向上させることが可能である。加えて、ユーザは、放送録画再生システムにおける、省電力、及び省エネルギーの効果を顕著に向上させるための操作を殆ど又は完全に行う必要は無いので、ユーザの操作における利便性を向上させることが可能である。【０１０５】
（３）他の実施例  
次に、図５を適宜参照して、本発明の放送録画再生システムに係る他の実施例について説明する。図５は、本発明の放送録画再生システムに係る他の実施例において、交信される各種の情報を概念的に示す表（テーブル）（図５（ａ）及び図５（ｂ））である。尚、本発明の放送録画再生システムに係る他の実施例における基本構成と、動作原理とは、前述した実施例と概ね同様であるので、適宜省略する。【０１０６】
他の実施例においては、複数個の記録再生装置２０及び３０と、表示装置１０とは、例えばＩＥＥＥ１３９４の規格に準拠した通信手段を介して、前述のチャンネル情報に加えて又は代えて、階層的に構成される制御情報を交信（交換）することが可能である。【０１０７】
具体的には、図５（ａ）に示されるように、制御情報は、製造メーカから独立した汎用的な制御情報に加えて、製造メーカに依存する特殊な制御情報「メーカＡ用」又は「メーカＢ用」を備えて構成されてもよい。【０１０８】
より具体的には、図５（ｂ）に示されるように、汎用的な制御情報は、上述したチャンネル情報に加えて、製造メーカを特定可能な、固有のメーカコードに関する情報、各種の情報機器が、電源を自ら切ることができるか否かの可否に関する情報、並びに、当該制御情報のバージョンに関するバージョン情報を有するように構成してもよい。【０１０９】
この結果、階層的に構成される制御情報に基づいて、複数個の記録再生装置２０及び３０と、表示装置１０とを、より適切且つ高精度に制御することが可能である。【０１１０】
上述した実施例では、放送コンテンツの搬送波として、地上波アナログ放送、又は、地上波デジタル放送を例にとって説明したが、ＢＳ（Broadcasting Satellite）や、ＣＳ（Communication Satellite）や、インターネット等を介して、配信される放送コンテンツ等のすべての放送形態に適用可能である。【０１１１】
また、上述の実施例では、記録再生装置の一例としてＨＤＤ付きのＤＶＤプレーヤ（レコーダ）について説明したが、本発明は、磁気ディスク、光ディスク又はBlu-rayディスクのプレーヤ（レコーダ）に限られるものではなく、他の各種記録媒体並びにそのプレーヤ（レコーダ）にも適用可能である。【０１１２】
本発明は、上述した実施例に限られるものではなく、請求の範囲及び明細書全体から読み取れる発明の要旨或いは思想に反しない範囲で適宜変更可能であり、そのような変更を伴う放送記録再生システム、放送記録再生システムの制御方法、放送記録再生装置、及びコンピュータプログラムもまた本発明の技術的範囲に含まれるものである。
【産業上の利用可能性】
【０１１３】
本発明に係る放送記録再生システム、放送記録再生システムの制御方法、放送記録再生装置、及びコンピュータプログラムは、例えばＤＶＤ（Digital Versatile Disc）、ＢＤ（Blu-ray Disc）、ＣＤ（Compact Disc）等のレーザ光を照射することによって記録及び再生が可能な光ディスク等の情報記録媒体の記録装置及び再生装置に利用可能である。また、例えば民生用或いは業務用の各種コンピュータ機器に搭載される又は各種コンピュータ機器に接続可能な情報記録装置及び情報再生装置等にも利用可能である。
【図１】
2008072349.tif 000003
【図２】
2008072349.tif 000004
【図３】
2008072349.tif 000005
【図４】
2008072349.tif 000006
【図５】
2008072349.tif 000007
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
放送番組を受信するために、複数の放送チャンネルのうち少なくとも一つに同調する同調手段と、
同調した一の放送チャンネルの放送番組を記録又は再生する記録再生装置と、
同調した他の放送チャンネルの放送番組を、表示可能な表示装置と、
（i）前記他の放送チャンネルに代えて、前記一の放送チャンネルの放送番組を表示するように、前記表示装置を制御する制御手段と、
を備え、
前記制御手段は、前記表示装置が、前記一の放送チャンネルの放送番組を表示した後、前記記録再生装置の電源を切るように、前記記録再生装置を制御することを特徴とする放送記録再生システム。
【請求項２】
前記制御手段は、（i）前記表示装置が、前記記録再生装置を経由して、前記一の放送チャンネルを介して放送番組を表示している第１状態から、（ii）前記表示装置が、前記記録再生装置を経由することなく、前記一の放送チャンネルを介して放送番組を表示している第２状態へ切り替えるように、前記表示装置を制御することを特徴とする請求項１に記載の放送記録再生システム。
【請求項３】
前記制御手段は、前記第１状態である時間が、所定時間より大きい場合、前記第１状態から、前記第２状態に切り替えるように、前記表示装置を制御することを特徴とする請求項２に記載の放送記録再生システム。
【請求項４】
前記制御手段は、（i）前記表示装置が、前記記録再生装置を経由することなく、前記他の放送チャンネルを介して放送番組を表示している第３状態から、（ii）前記表示装置が、前記記録再生装置を経由して、前記他の放送チャンネルを介して放送番組を表示している第４状態へ切り替えるように、前記表示装置を制御することを特徴とする請求項１から３のうちいずれか一項に記載の放送記録再生システム。
【請求項５】
前記制御手段は、（i）前記表示装置が、前記記録再生装置で設定される前記一の放送チャンネルに関するチャンネル情報を取得し、（ii）前記表示装置が、当該表示装置で予め設定された、前記他の放送チャンネルを、前記一の放送チャンネルに再設定するように、前記表示装置及び前記記録再生装置を制御することを特徴とする請求項１から４のうちいずれか一項に記載の放送記録再生システム。
【請求項６】
（i）前記表示装置が、前記一の放送チャンネルを介して放送番組を表示しないように、又は、（ii）前記記録再生装置が、前記表示装置を経由して、前記他の放送チャンネルを介して放送番組を表示しないようにするために、ユーザによって操作可能な操作手段を更に備えることを特徴とする請求項１から５のうちいずれか一項に記載の放送記録再生システム。
【請求項７】
前記表示装置と、前記記録再生装置との間の交信させる通信手段を更に備え、
前記制御手段は、前記表示装置、又は前記記録再生装置を制御するための制御情報を、前記通信手段によって交信させることを特徴とする請求項１から６のうちいずれか一項に記載の放送記録再生システム。
【請求項８】
前記制御手段は、（i）前記表示装置が、前記記録再生装置で設定される一の放送チャンネルに関するチャンネル情報を取得できるか否か、又は、（ii）前記表示装置が、前記記録再生装置を経由することなく、前記一の放送チャンネルを介して放送番組を表示している第２状態へ切り替えることができるか否かを判別するための判別情報を、前記通信手段によって交信させることを特徴とする請求項７に記載の放送記録再生システム。
【請求項９】
前記通信手段は、HDMI（High-Definition Multimedia Interface）規格に準拠することを特徴とする請求項１から８のうちいずれか一項に記載の放送記録再生システム。
【請求項１０】
放送番組を受信するために、複数の放送チャンネルのうち少なくとも一つに同調する同調手段を備えた放送記録再生装置であって、
同調した一の放送チャンネルの放送番組を記録又は再生する記録再生手段と、
同調した前記一の放送チャンネルに関するチャンネル情報を出力する出力手段と、
前記チャンネル情報が出力された後、前記放送記録再生装置の電源を切るように、当該放送記録再生装置を制御する制御手段と、
を備えることを特徴とする放送記録再生装置。
【請求項１１】
放送番組を受信するために、複数の放送チャンネルのうち少なくとも一つに同調する同調手段と、
同調した一の放送チャンネルの放送番組を記録又は再生する記録再生装置と、
同調した他の放送チャンネルの放送番組を、表示可能な表示装置と、
を備える放送記録再生システムの制御方法であって、
（i）前記他の放送チャンネルに代えて、前記一の放送チャンネルの放送番組を表示するように、前記表示装置を制御する制御工程と、
を備え、
前記制御工程は、前記表示装置が、前記一の放送チャンネルの放送番組を表示した後、前記記録再生装置の電源を切るように、前記記録再生装置を制御することを特徴とする放送記録再生システムの制御方法。
【請求項１２】
放送番組を受信するために、複数の放送チャンネルのうち少なくとも一つに同調する同調手段を備えた記録再生装置における放送記録再生方法であって、
同調した一の放送チャンネルの放送番組を記録又は再生する記録再生工程と、
同調した前記一の放送チャンネルに関するチャンネル情報を出力する出力工程と、
前記チャンネル情報が出力された後、前記記録再生装置の電源を切るように、当該記録再生装置を制御する制御工程と、
を備えることを特徴とする放送記録再生方法。
【請求項１３】
請求項１に記載の放送記録再生システムに備えられたコンピュータを制御する制御用のコンピュータプログラムであって、該コンピュータを、前記同調手段、前記記録再生装置、前記表示装置、及び前記制御手段のうち少なくとも一部として機能させることを特徴とするコンピュータプログラム。
【請求項１４】
請求項１０に記載の放送記録再生装置に備えられたコンピュータを制御する制御用のコンピュータプログラムであって、該コンピュータを、前記同調手段、前記記録再生手段、前記出力手段、及び前記制御手段のうち少なくとも一部として機能させることを特徴とするコンピュータプログラム。
【手続補正２】
【補正対象書類名】明細書
【補正対象項目名】０００６
【補正方法】変更
【補正の内容】
【０００６】
上記課題を解決するために、請求項１に記載の放送記録再生システムは、放送番組を受信するために、複数の放送チャンネルのうち（ユーザが所望する）少なくとも一つに同調する同調手段（アンテナ及びチューナ）と、同調した一の放送チャンネルの放送番組を記録又は再生する記録再生装置（ドライブ）と、同調した他の放送チャンネルの放送番組を、表示可能な表示装置（ＴＶ：Television）と、（i）前記他の放送チャンネルに代えて、前記一の放送チャンネルの放送番組を表示するように、前記表示装置を制御する制御手段（HDMI中の制御コマンド）と、を備え、前記制御手段は、前記表示装置が、前記一の放送チャンネルの放送番組を表示した後、前記記録再生装置の電源を切るように、前記記録再生装置を制御する。
【手続補正３】
【補正対象書類名】明細書
【補正対象項目名】０００７
【補正方法】変更
【補正の内容】
【０００７】
上記課題を解決するために、請求項１０に記載の放送記録再生装置は、放送番組を受信するために、複数の放送チャンネルのうち少なくとも一つに同調する同調手段を備えた放送記録再生装置であって、同調した一の放送チャンネルの放送番組を記録又は再生する記録再生手段と、同調した前記一の放送チャンネルに関するチャンネル情報を出力する出力手段と、前記チャンネル情報が出力された後、前記放送記録再生装置の電源を切るように、当該放送記録再生装置を制御する制御手段と、を備える。
【手続補正４】
【補正対象書類名】明細書
【補正対象項目名】０００８
【補正方法】変更
【補正の内容】
【０００８】
上記課題を解決するために、請求項１１に記載の放送記録再生システムの制御方法は、放送番組を受信するために、複数の放送チャンネルのうち少なくとも一つに同調する同調手段と、同調した一の放送チャンネルの放送番組を記録又は再生する記録再生装置と、同調した他の放送チャンネルの放送番組を、表示可能な表示装置と、を備える放送記録再生システムの制御方法であって、（i）前記他の放送チャンネルに代えて、前記一の放送チャンネルの放送番組を表示するように、前記表示装置を制御する制御工程と、を備え、前記制御工程は、前記表示装置が、前記一の放送チャンネルの放送番組を表示した後、前記記録再生装置の電源を切るように、前記記録再生装置を制御する。
【手続補正５】
【補正対象書類名】明細書
【補正対象項目名】０００９
【補正方法】変更
【補正の内容】
【０００９】
上記課題を解決するために、請求項１２に記載の放送記録再生方法は、放送番組を受信するために、複数の放送チャンネルのうち少なくとも一つに同調する同調手段を備えた記録再生装置における放送記録再生方法であって、同調した一の放送チャンネルの放送番組を記録又は再生する記録再生工程と、同調した前記一の放送チャンネルに関するチャンネル情報を出力する出力工程と、前記チャンネル情報が出力された後、前記記録再生装置の電源を切るように、当該記録再生装置を制御する制御工程と、を備える。
【手続補正６】
【補正対象書類名】明細書
【補正対象項目名】００１０
【補正方法】変更
【補正の内容】
【００１０】
上記課題を解決するために、請求項１３に記載のコンピュータプログラムは、請求項１に記載の放送記録再生システムに備えられたコンピュータを制御する制御用のコンピュータプログラムであって、該コンピュータを、前記同調手段、前記記録再生装置、前記表示装置、及び前記制御手段のうち少なくとも一部として機能させる。
【手続補正７】
【補正対象書類名】明細書
【補正対象項目名】００１１
【補正方法】変更
【補正の内容】
【００１１】
上記課題を解決するために、請求項１４に記載のコンピュータプログラムは、請求項１１に記載の放送記録再生装置に備えられたコンピュータを制御する制御用のコンピュータプログラムであって、該コンピュータを、前記同調手段、前記記録再生手段、前記出力手段、及び前記制御手段のうち少なくとも一部として機能させる。
【手続補正８】
【補正対象書類名】明細書
【補正対象項目名】００１４
【補正方法】変更
【補正の内容】
【００１４】
本発明の放送記録再生システムに係る実施形態は、放送番組を受信するために、複数の放送チャンネルのうち（ユーザが所望する）少なくとも一つに同調する同調手段（アンテナ及びチューナ）と、同調した一の放送チャンネルの放送番組を記録又は再生する記録再生装置（ドライブ）と、同調した他の放送チャンネルの放送番組を、表示可能な表示装置（ＴＶ：Television）と、（i）前記他の放送チャンネルに代えて、前記一の放送チャンネルの放送番組を表示するように、前記表示装置を制御する制御手段（HDMI中の制御コマンド）と、を備え、前記制御手段は、前記表示装置が、前記一の放送チャンネルの放送番組を表示した後、前記記録再生装置の電源を切るように、前記記録再生装置を制御する。
【手続補正９】
【補正対象書類名】明細書
【補正対象項目名】００２８
【補正方法】削除
【補正の内容】
【手続補正１０】
【補正対象書類名】明細書
【補正対象項目名】００３１
【補正方法】変更
【補正の内容】
【００３１】
本発明の録画再生システムに係る実施形態の一の態様では、前記制御手段は、（i）前記表示装置が、前記記録再生装置を経由して、前記一の放送チャンネルを介して放送番組を表示している第１状態から、（ii）前記表示装置が、前記記録再生装置を経由することなく、前記一の放送チャンネルを介して放送番組を表示している第２状態へ切り替えるように、前記表示装置を制御する。
【手続補正１１】
【補正対象書類名】明細書
【補正対象項目名】００５７
【補正方法】変更
【補正の内容】
【００５７】
（放送記録再生装置の実施形態）
本発明の放送記録再生装置に係る実施形態は、放送番組を受信するために、複数の放送チャンネルのうち少なくとも一つに同調する同調手段を備えた放送記録再生装置であって、同調した一の放送チャンネルの放送番組を記録又は再生する記録再生手段と、同調した前記一の放送チャンネルに関するチャンネル情報を出力する出力手段と、前記チャンネル情報が出力された後、前記放送記録再生装置の電源を切るように、当該放送記録再生装置を制御する制御手段と、を備える。
【手続補正１２】
【補正対象書類名】明細書
【補正対象項目名】００６２
【補正方法】変更
【補正の内容】
【００６２】
（放送記録再生システムの制御方法の実施形態）
本発明の放送記録再生システムの制御方法に係る実施形態によれば、放送番組を受信するために、複数の放送チャンネルのうち少なくとも一つに同調する同調手段と、同調した一の放送チャンネルの放送番組を記録又は再生する記録再生装置と、同調した他の放送チャンネルの放送番組を、表示可能な表示装置と、を備える放送記録再生システムの制御方法であって、（i）前記他の放送チャンネルに代えて、前記一の放送チャンネルの放送番組を表示するように、前記表示装置を制御する制御工程と、を備え、前記制御工程は、前記表示装置が、前記一の放送チャンネルの放送番組を表示した後、前記記録再生装置の電源を切るように、前記記録再生装置を制御する。
【手続補正１３】
【補正対象書類名】明細書
【補正対象項目名】００６５
【補正方法】変更
【補正の内容】
【００６５】
（放送記録再生方法の実施形態）
本発明の放送記録再生方法に係る実施形態によれば、放送番組を受信するために、複数の放送チャンネルのうち少なくとも一つに同調する同調手段を備えた記録再生装置における放送記録再生方法であって、同調した一の放送チャンネルの放送番組を記録又は再生する記録再生工程と、同調した前記一の放送チャンネルに関するチャンネル情報を出力する出力工程と、前記チャンネル情報が出力された後、前記記録再生装置の電源を切るように、当該記録再生装置を制御する制御工程と、を備える。
【国際調査報告】
2008072349.tif 000008
2008072349.tif 000009
2008072349.tif 000010
2008072349.tif 000011